(57)【要約】  頭皮のような皮膚の水分量を測定する方法を提供する。より詳しくは、本発明は以下のステップを含む方法に関する。（ａ）皮膚の水分量を測定する手段を準備するステップと、（ｂ）皮膚水分量を測定するための前記手段を用いて皮膚について少なくとも２つの皮膚水分量の測定値を得るステップと、（ｃ）少なくとも２つの前記水分量測定値をお互いに比較して、測定水分値の差を得るステップと、（ｄ）前記水分量の測定値の差を前記皮膚に対する皮膚水分値と関係付けするステップと、を含む。
2009505712.tif 000002
【特許請求の範囲】
【請求項１】
ａ）皮膚の水分量を測定する手段を準備するステップと、
ｂ）皮膚の水分量を測定するための該手段を使用し、少なくとも２つの該皮膚に対する水分量測定値を得るステップと、
ｃ）少なくとも前記２つの水分量測定値をお互いに比較して、測定水分量の差を得るステップと、
ｄ）該測定水分量の差を該皮膚に対する皮膚水分値と関係付けするステップと、から構成される、皮膚の水分量の測定方法。
【請求項２】
皮膚の水分量を測定するための前記手段は電子デバイスである、請求項１に記載の方法。
【請求項３】
前記電子デバイスはインピーダンスセンサーを含む、請求項２に記載の方法。
【請求項４】
ステップ（ｂ）は周囲環境と平衡状態にあるコントロール領域の第１の水分量測定値、およびテスト領域上の第２の水分量測定値を得ることを含む、請求項１に記載の方法。
【請求項５】
前記コントロール領域は、顔、首、耳、腕、手、脚、足、腹部、および鼠径部からなる群から選択される、請求項４に記載の方法。
【請求項６】
前記テスト領域は、顔、首、胸、背中、腕、手、足、脚および頭皮からなる群から選択される、請求項４に記載の方法。
【請求項７】
前記皮膚の水分値を使用して少なくとも１種の適切な皮膚処理法を選択するステップをさらに含む、請求項１に記載の方法。
【請求項８】
前記適切な皮膚処理法は、化学的組成物処理法および非化学的処理法からなる群から選択される、請求項７に記載の方法。
【請求項９】
前記化学的組成物は、ローション、クリーム、ジェル、トニック、アフターシェーブ、スティック、スプレイ、軟膏、ペースト、粉末、ムース、シャンプー、コンディショナー、オイル、着色剤、およびバイオメディカル処理物および皮膚科的処理物からなる群から選択される、請求項８に記載の方法。
【請求項１０】
前記非化学的処理法は、剪毛および体毛除去からなる群から選択される、請求項８に記載の方法。
【請求項１１】
前記テスト領域上の第２の場所において前記皮膚に対する第３の水分量測定値を得るステップをさらに含む、請求項４に記載の方法。
【請求項１２】
ａ）頭皮の水分量を測定するための水分計を準備するステップと、
ｂ）該水分計を用いて、該頭皮から離れた場所における該頭皮に対して少なくとも１つの第１の水分量測定値を得るステップと、
ｃ）該水分計を用いて、該頭皮上の場所における頭皮に対して少なくとも１つの第２の水分量測定値を得るステップと、
ｄ）該第１の水分量測定値を該第２の水分量測定値と比較して、測定水分量の差を得るステップと、
ｅ）該頭皮に対する該測定水分量の差を頭皮水分値と関係付けするステップと、から構成される、頭皮の水分量測定の方法。
【請求項１３】
前記水分計はインピーダンスセンサーを含む、請求項１２に記載の方法。
【請求項１４】
前記水分量測値は、５ＭＨｚ未満の周波数を有する、請求項１２に記載の方法。
【請求項１５】
前記水分量の差は０ＭＨｚ〜５ＭＨｚである、請求項１２に記載の方法。
【請求項１６】
前記頭皮水分値は０〜９９である、請求項１２に記載の方法。
【請求項１７】
ａ）請求項１２に記載の方法による前記頭皮の水分量を測定するステップと、
ｂ）前記関係付けされた頭皮の水分値を使用して少なくとも１種の適切な頭皮処理法を選択するステップと、
ｃ）前記頭皮に適切な該頭皮処理法を施すステップと、から構成される、頭皮処理の方法。
【請求項１８】
前記適切な頭皮処理法は、シャンプー、コンディショナー、着色剤、オイル、およびヘアスタイリング組成物からなる群から選択される、請求項１７に記載の方法。
【請求項１９】
前記頭皮から離れた前記場所は、額の皮膚、頬、あご、耳および腕からなる群から選択される、請求項１２に記載の方法。
【請求項２０】
ａ）頭皮の水分量を測定するための水分計を準備するステップと、
ｂ）該水分計を使用して、消費者の頭について少なくとも２つの水分量測定値を得るステップと、
ｃ）少なくとも２つの水分量測定値をお互いに比較して、測定水分量の差を得るステップと、
ｄ）該測定水分量の差を該消費者に対するふけ状態の指標値と関係付けするステップとから構成される、消費者の頭皮のふけ状態を測定する方法。
【発明の詳細な説明】
【技術分野】
【０００１】
本発明は、一般に皮膚の水分量を測定する方法に関する。本発明は、同様に、頭皮の水分量測定方法および頭皮を処理する方法に関する。本発明の別の態様は、消費者の頭皮上のふけ状態を測定する方法に関する。
【背景技術】
【０００２】
皮膚は多数の外因性因子及び内因性因子による損傷の対象となる。外因性因子には、紫外線放射（例えば、日光曝露による）、環境汚染、風、熱または赤外線放射（ＩＲ）、低湿度、強い界面活性剤、研磨剤等が挙げられる。内部要因には、経年的老化及びその他の皮膚内部からの生化学的変化が挙げられる。これらの因子は、外因性であれ内因性であれ、皺や他の形態の粗さ（孔径の大きさ、フレーク化及び皮膚の小皺の増加を含む）といった皮膚老化及び環境的損傷の目に見える徴候、並びに皮膚の老化又は皮膚の損傷に関連した他の組織構造の変化を生じさせる。加えて、角質層の水含量は皮膚の外観、柔軟性、きめ、および皮膚の乾燥、並びに皮膚を通り中に入る薬およびその他の分子の吸収に大きな影響を与える。角質層は表皮の最外層であり、皮膚の表面を構成する。
【０００３】
皮膚の処理方法には、一般に様々な適切な処理剤の少なくとも１種の適用が含まれる。そのような処理剤は、皮膚または頭皮に対して一定の所望の物理的または化粧品特性を提供するため、または回復させるために選択できる。しかし、もし適切な処理剤が選択されない場合、所望の一定の物理的または化粧品特性を得ることができない。
【０００４】
例えば頭皮のような皮膚を処理する場合には、処理剤には一般にシャンプー、コンディショナー、着色剤、スタイリング組成物等が挙げられる。これらの頭皮処理剤の製造者は、頭皮処理剤の多様なバージョンまたは銘柄を提供でき、多様なバージョンのそれぞれは、具体的な消費者セグメントの特徴であり、それぞれの消費者セグメントの間で一般に見られる頭皮の物理的または化粧品の差に基づくであろう要望または要求を目標にして具体的に設計される。例えば、単一銘柄のシャンプーはフレーク処理用に設計された第１バージョンであり、そして乾燥処理用に設計された第２のバージョンであり、両方の状態ともふけに関連する。
【発明の開示】
【発明が解決しようとする課題】
【０００５】
しかし、消費者が多数のバージョンの頭皮用剤の銘柄の中から頭皮処理剤を選択する課題に直面すると、消費者は気づかずに消費者が望んだ特性を提供するように設計されていないバージョンを選択するかもしれない。そのような場合、消費者は、頭皮用剤銘柄の選択したバージョンの結果に不満足であるかもしれない。消費者の不満足の結果として、たとえ別のバージョンの頭皮用剤が消費者の所望する頭皮のおよび／または毛髪の特性を提供できても、その後消費者は同じ頭皮用剤銘柄のバージョンのすべてを選択するのを拒むかもしれない。そのような状況が起こると、ひいては製造者の特定の頭皮用剤の不必要な販売減少を引き起こすかもしれない。
【０００６】
過去に皮膚または毛髪の湿分レベルを測定するために水分量を測定する方法が開発されてきたし、それらは所望の指標を得るために抵抗測定、容量測定を含める様々な技術に頼ってきた。
【課題を解決するための手段】
【０００７】
ここに、角質を含めた皮膚の水和特性について正確で再現性のある評価法が発見された。それは例えば水分量のようなパラメーター値を皮膚の第１の場所、例えば環境と平衡しているコントロール領域のような場所での値と、例えばテスト領域のような第２の場所でのパラメーター値とを比較することによって達成される。少なくとも２つの測定値を互いに比較することにより、単一測定値を既知の対照値と比較するのとは反対に、水和または湿分特性評価と関係付けられて測定されたパラメーターの差を示すプロファイルが得られる。この評価は測定中の環境条件の変化の影響とは無関係である。何故ならば、その関係は皮膚のそれぞれの対応する場所について少なくとも２つの値の間の相対的な差に基づくためであるからである。
【０００８】
一実施形態において、本発明は皮膚の水分量を測定する方法に関する。その方法は、（ａ）皮膚水分量を測定する手段を供給する工程と、（ｂ）皮膚水分量を測定する手段を使用し、皮膚に対する少なくとも２つの水分量測定値を得る工程と、（ｃ）少なくとも２つの水分量測定値を互いに比較して測定水分量の差を得る工程と、（ｄ）測定水分量の差を皮膚に対する皮膚水分値と関係づける工程と、を含む。
【０００９】
別の実施形態では、本発明は頭皮の水分量を測定する方法に関する。その方法は、（ａ）頭皮水分量を測定する水分計を準備する工程と、（ｂ）その水分計を使用して、頭皮から離れた場所での頭皮に対する第１の水分量測定値を少なくとも１つ得る工程と、（ｃ）その水分計を使用して、頭皮上の場所での頭皮に対する第２の水分量測定値を少なくとも１つ得る工程と、（ｄ）第１の水分量測定値を第２の水分量測定値と比較して測定水分量の差を得る工程と、（ｅ）測定水分量の差を頭皮に対する皮膚水分値と関係づける工程と、を含む
さらに別の実施形態では、本発明は消費者の頭皮上のふけ状態を測定する方法に関する。その方法は、（ａ）頭皮水分量を測定する水分計を準備する工程と、（ｂ）その水分計を使用し、消費者の頭について少なくとも２つの水分量測定値を得る工程と、（ｃ）少なくとも２つの水分量測定値を互いに比較して測定水分量の差を得る工程と、（ｄ）測定水分量の差を消費者のふけ状態の指標値と関係づける工程と、を含む。
【００１０】
本発明のこれらのおよびその他の特徴、態様、および利点が当業者には本開示を読むことで明らかになるであろう。
【発明を実施するための最良の形態】
【００１１】
本明細書で使用する場合、用語「皮膚」は、例えば顔、首、背中、腕、手、足、および頭皮を外的に被覆するものを含む、哺乳類ボディの外的被覆を形成する膜質の組織を指す。
【００１２】
本明細書で使用する場合、「水分量」は皮膚中に存在する水を指す。
【００１３】
本明細書で使用する場合、「コントロール領域」は、環境に曝露されて測定に便利な皮膚の領域を指す。
【００１４】
本明細書で使用する場合、「テスト領域」は、その領域に関して消費者による使用の適切な皮膚処理を選択する目的で、消費者がテストしたいと希望した皮膚領域を指す。
【００１５】
皮膚の水分量を測定する方法および皮膚を処理するための、本発明による方法が記述される。頭皮を含む皮膚における水分量の測定は、皮膚の様々な物理的特性および化粧品特性を定量化するために使用される。例えば、低水分含量を有する頭皮は不健康であり、フレーク、乾燥度、硬化、かゆみ、および／または発赤／刺激を含むふけの兆候があるかも知れない。皮膚水和は正常な生物学的活性機能であり、体内から周囲環境への連続的な湿分流れをもたらす。皮膚のバリア機能を改善すると、より多くの皮膚水和およびより少ない水分損失がもたらされる。その結果、皮膚の物理的特性および化粧品特性が改善でき、例えば処理により皮膚を正常の状態に回復させ皮膚のバリア機能が改善される。同様に、バリア機能の改善もまた、皮膚を周囲環境、物理的、化学的、または生物学的な損傷からの保護をもたらし、皮膚の健康に全体的な改善をもたらす。
【００１６】
ここで、図１、皮膚１０の水分量を測定する方法を参照する。それは一連のステップを含み、皮膚の水分レベルの評価のために使用者または受容者に情報を提供することを意図する。第１ステップ２０において、皮膚の水分量を測定するための手段が準備される。皮膚水分量を測定するに好適な手段のどれでも使用できる。例えば、電子デバイスが皮膚の水分量測定に使用できる。電子デバイスには、米国特許出願、題名「皮膚の水分量を表示するための方法およびデバイス」、２００５年９月２日出願、代理人整理番号１０１２１Ｐ、に記載のようなインピーダンスセンサーが含まれる。同様に、皮膚の水分量を測定するための好適な手段には、高周波、赤外、核磁気共鳴、機械振動、皮膚変形、イオントフォレシス、トポロジイ、摩擦、経表皮水分喪失量（ＴＥＷＬ）、光学損失および熱損失が挙げられる。
【００１７】
第２ステップ３０では、皮膚水分量を測定する手段を使用し、皮膚について少なくとも２つの水分量測定値を得る。１実施例では、皮膚の水分量の測定は皮膚上の少なくとも２つの領域、環境と平衡状態にあるコントロール領域とテスト領域で行われる。一例を挙げれば、コントロール領域には、顔、首、耳、腕、手、脚、足、腹部、背中および鼠径部が挙げられ、一方テスト領域には、例えば、顔、首、胸、背中、腕、手、足、脚、および頭皮が挙げられる。しかし、テスト領域上の様々な場所でそのような測定を幾つか行うことができる。一例を挙げれば、皮膚の水分量測定用手段を使用して、テスト領域上で１つ以上の追加的水分量測定値が得られる。各々の測定結果が測定手段によって得られた後で、測定結果は適切な方法で表示または保存される。一例を挙げれば、水分量測定値はＬＥＤディスプレイ上に表示される。別の例では、水分量測定値はプログラム可能な集積回路に保存される。一実施例では、コントロール領域およびテスト領域に対して得られた測定値は、約５ＭＨｚ未満の周波数を有し、別の実施形態では約２．４ＭＨｚ未満、およびさらに別の実施形態では約０．５ＭＨｚ未満を有する。
【００１８】
第３ステップ４０では、測定水分量の差を得る目的で少なくとも２つの水分量測定値は互いに比較される。例えば、コントロール領域に対する皮膚の水分量（ｍ１）は、テスト領域に対する皮膚の水分量（ｍ２）と比較され、測定水分量の差（ｍ２−ｍ１）または（ｍ１−ｍ２）が得られる。一実施形態では、測定手段は例えば、ＰＣまたはラップトップコンピュータなどの処理システムにケーブルを通して電気的に結合される。別の実施形態では、測定手段はプログラム可能な集積回路に電気的に結合される。さらに別の実施形態では、測定手段はコンピュータにワイヤレスで電気的に結合される。処理システムは測定手段によって生成された水分量測定値を測定水分量の差に転換するように操作可能である。別の実施形態では、測定水分量の差は（ｍ２−ｍ１）または（ｍ１−ｍ２）の式を使用してマニュアルで求めてもよい。
【００１９】
テスト領域で追加の皮膚水分値が得られる場合、これらの値の全ては互いに比較され、次いで測定水分量の差のプロファイルを得るために最大値を有する測定値、最小値または平均値はコントロール領域に対する皮膚水分量と比較される。一実施形態では、約０ＭＨｚ〜約０．０５ＭＨｚの測定値の差は健康な皮膚状態（高湿分レベル）を表し、約０．０５ＭＨｚ〜約０．５ＭＨｚの測定値の差は中程度の皮膚状態（中程度の湿分レベル）を表し、および約０．５ＭＨｚより大の測定値の差は不健康な皮膚状態（低湿分レベル）を表す。
【００２０】
別の実施形態では、コントロール領域とテスト領域は同一であることができる。例えば、水分量の測定がコントロール領域で行われる。次いで、コントロール領域が皮膚処理または頭皮処理で処理される一定期間の時間の経過が許される。それ以降、そのコントロール領域で第２の測定が行われる。次いで、水分量測定値の差を得るために、２つの水分量測定値が互いに比較される。実際上、コントロール領域とテスト領域は第２の測定に対して同一である。
【００２１】
第４のステップ５０において、水分量の差は皮膚水分値と関連付けられる。一実施形態では、上記の処理システムは表１に示されるように周波数の差を皮膚水分値に転換するように操作可能である。
【００２２】
【表１】
2009505712.tif 000003
【００２３】
一実施形態において、皮膚水分量は約０〜約９９であり、別の実施形態では約５〜約９５である。そのような値は、皮膚のコントロール領域とテスト領域に対する測定値の間の相対的な差に基づいたものである。そのようなものとして、皮膚は自身の制御体として機能する。皮膚水分値は、また、「健康な」または「Ｈ」、「中程度の」または「Ｍ」、および「乾燥」または「Ｄ」のような用語によっても表されるが、本発明においては、皮膚の水分レベルの量の増加または減少を示すあらゆる言葉、絵図、または番号付けした尺度が使用されてよい。
【００２４】
別の態様において、本発明はさらに、皮膚水分値を用いて少なくとも１つの適合する皮膚処理を選択することに関する。本明細書で用いる場合、「適合する皮膚処理」は消費者によって所望される物理的または化粧品特性を提供するまたは回復させる、化学的組成物または非化学的処理である。典型的な皮膚処理の化学的組成物には、それらに限定されないが、美容ケア製品、ヘルスケア製品、化粧品、乳児ケア製品、女性用ケア製品、およびペット用ケア製品が挙げられ、それらの形態には、ローション、クリーム、ジェル、トニック、アフターシェーブ、スティック、スプレイ、軟膏、ペースト、粉末、ムース、シャンプー、コンディショナー、オイル、着色剤、およびバイオメディカル処理物および皮膚科的処理物、が挙げられる。
【００２５】
バイオメディカル処理および皮膚科的処理の非限定的な例には、スキンケア処理処方箋、レーザ処理、ケミカル皮膚剥離、皮膚擦傷術、電気刺激、ボトックス処理、外科処理、角質除去パッドおよびクロスが挙げられる。
【００２６】
例示的な非化学的処理には、限定されないが、剪毛および体毛除去を挙げてよい。
【００２７】
ここで、図２、頭皮１００の水分量を測定する方法を参照する。それは一連のステップを含み、頭皮の水分レベルの評価のために使用者または受容者に情報を提供することを意図する。第１ステップ２０において、皮膚の水分量を測定するための手段が与えられる一実施形態では、水分計は上記のようにインピーダンスセンサーを備える電子デバイスであってよい。第２ステップ１２０では、水分計を使用して頭皮から離れた場所での少なくとも１つの水分量測定値を得る。一例を挙げれば、例えば、頭皮から離れた位置には額の皮膚、頬、あご、耳および腕が挙げられる。
【００２８】
第３のステップでは、水分計を使用して頭皮上での少なくとも１つの水分量測定値を得る。少なくとも１つの第２水分量測定値に関して、頭皮の様々な場所において幾つかのそのような測定を行うことができる。一例を挙げれば、頭皮の水分量測定のための水分計を使用して、頭皮上の様々な場所における１つ以上の追加的な水分量測定値が得られる。そのような測定値がステップ１２０および１３０で得られると、その値は例えば水分計のＬＥＤディスプレイ上のような適切な方法で表示される。一実施形態では、頭皮から離れた位置および頭皮上の場所に対して得られた水分量値は、約５ＭＨｚ未満の周波数、別の実施形態では約２．４ＭＨｚ未満の、およびさらに別の実施形態では約０．５ＭＨｚ未満の周波数を有する。
【００２９】
第４のステップ１４０では、第１の水分量測定値が第２の水分量測定値と比較され、測定水分量の差が得られる。例えば、頭皮から離れた位置に対する頭皮水分量値（ｍ１）は頭皮上の場所に対する頭皮水分量値（ｍ２）と比較され、測定水分量の差（ｍ２−ｍ１）または（ｍ１−ｍ２）が得られる。水分計は上記のように電気的に結合されてもよい。処理システムは水分計によって発生した水分量測定値を測定水分量の差に転換する操作が可能である。別の実施形態では、測定水分量の差は式（ｍ２−ｍ１）または（ｍ１−ｍ２）を用いてマニュアルで求めてよい。
【００３０】
頭皮上の場所で追加的な頭皮水分値が得られる場合、これらの測定値のすべてはお互いに比較される。次いで、最大値を有する頭皮水分値、最小値または平均値は、頭皮から離れた場所に対する水分量値と比較される。一実施形態では、約０ＭＨｚ〜約０．０５ＭＨｚの測定値の差は健康な皮膚状態（高湿分レベル）を表し、約０．０５ＭＨｚ〜約０．５ＭＨｚの測定値の差は中程度の皮膚状態（中程度の湿分レベル）を表し、および約０．５ＭＨｚより大の測定値の差は不健康な皮膚状態（低湿分レベル）を表す。
【００３１】
第５のステップにおいて、上記の皮膚水分値に関するのと同じ方法で、水分量の差は頭皮水分値と関係付けされる。
【００３２】
本発明の別の態様において、本発明の方法は頭皮を処理する方法に関する。それは、（ａ）上記の方法により前記頭皮の水分を測定するステップと、（ｂ）関係付けされた頭皮水分値を使用して少なくとも１つの適切な頭皮処理法を選択するステップと、（ｃ）頭皮に適切な処理を施すステップと、を含む。本明細書で用いる場合、「適切な頭皮処理」は、消費者が所望する物理的特性または化粧品特性を有する頭皮を提供または回復する処理である。典型的な頭皮処理組成物には、それらに限定されないが、シャンプー、コンディショナー、オイル、着色剤、およびスタイリング用組成物が挙げられる。
【００３３】
別の実施形態において、本発明の方法は消費者の頭皮におけるふけ状態を測定する方法に関する。それは（ａ）頭皮水分量を測定するための水分計を準備するステップと、（ｂ）前記水分計を使用して前記消費者の頭について少なくとも２つの水分量測定値を得るステップと、（ｃ）前記少なくとも２つの水分量測定値をお互いに比較して測定水分量の差を得るステップと、（ｄ）前記測定水分量の差を前記消費者のふけ状態の指標値と関係付けするステップと、を含む。一例を挙げれば、ふけ状態には、例えば、フレーク、乾燥、硬化、かゆみおよび発赤／刺激が挙げられる。一実施形態において、ふけ状態の指標値は約０〜約９９であり、別の実施形態では約５〜約９５である。同様に、ふけ状態の指標値は、例えば、「健康」または「Ｈ」、「中程度」または「Ｍ」、および「乾燥」または「Ｄ」のような用語で表されてよいが、本発明においては、頭皮の水分レベルの量の増加または減少を示すあらゆる言葉、または番号付けした尺度が使用されてもよい。
【実施例】
【００３４】
以下の実施例は単に例示だけの目的で与えられ、本発明を制限すると解釈されるものではない。したがって本発明の多くの変形が本発明の趣旨および範囲から逸脱せずに可能である。
【００３５】
（実施例１）頭皮水分量およびふけ
頭皮の水分量とふけとの間の相関を求めるために、消費者の頭皮水分量を上記のインピーダンスセンサーを備える電子デバイスを用いて測定した。消費者各自に対する頭皮水分量を以下のようにして測定した。額で１つの測定値を得て、頭皮で２つの測定値を得た。次いで、水分量測定値をデバイスによって測定水分量の差に転換した。加えて、消費者各自を頭皮貼付フレーク評点（Adherent Scalp Flaking Score （「ＡＳＦＳ」））で 評価付けした。消費者一人ひとりのＡＳＦＳは認定選別員に消費者の頭皮のオクタントを試験してもらい、次いでフレークの等級をそのオクタントに評価付けした。典型的な結果を以下の表ＩＩに示す。
【００３６】
【表２】
2009505712.tif 000004
【００３７】
「発明を実施するための最良の形態」で引用した全ての文献は、その関連部分において本明細書に参考として組み込まれ、いかなる文献の引用も、それが本発明に対する先行技術であることを認めるものと解釈すべきではない。
【００３８】
本発明の特定の諸実施形態を図示し、記載したが、本発明の趣旨及び範囲から逸脱することなく他の様々な変更及び修正を実施できることが当業者には自明である。したがって、本発明の範囲内にあるそのようなすべての変更及び修正を添付の特許請求の範囲で扱うものとする。
【００３９】
本明細書は特別に示した請求項によって完結し、本発明を明確に権利主張するが、本発明は添付の図と関連してなされた以下の説明からよりよ良く理解できると考えられる。
【図面の簡単な説明】
【００４０】
【図１】本発明の実施形態の方法のフローチャート。
【図２】本発明の実施例の頭皮水分量を測定する方法のフローチャート。
【図１】
2009505712.tif 000005
【図２】
2009505712.tif 000006
【国際調査報告】
2009505712.tif 000007
2009505712.tif 000008
2009505712.tif 000009
2009505712.tif 000010